(57)【要約】【課題】岸側から沖側に向かう波が打ち寄せても斜板に衝撃荷重が作用しないようにする。【解決手段】所要の長さ及び幅を有し且つ幅方向に所要角度傾斜した斜板１を、下端側を沖側６に向けて海面付近に位置させ、斜板１の下面に、下端が海底に達する鋼製ジャケット２の上端を固定して斜板堤を構成する。斜板１の中央部における平均潮位Ｔよりも約３０ｃｍ下方の位置に、透過口７を穿設する。沖向波６が斜板１を通過しようとするとき、斜板１の下方における沖向波６の進行に伴う水面の上下動により斜板１の下面側にて圧縮される空気８を、透過口７を通して斜板１の上方へ逃がし、これにより、斜板１下面に水面が衝撃的に打ち当ることを抑制する。【選択図】　　　　図１
2004060178.tif 000002
【特許請求の範囲】
【請求項１】
所要の長さ及び幅を有し且つ幅方向に所要角度傾斜した斜板にジャケットを取り付け、該斜板を、下端側が沖側に向くようにして海面付近に設置して、沖側から岸側へ向かう波を上記斜板上にて砕波させて岸側を静穏域とするようにしてある斜板堤における上記斜板の下面に岸側から沖側に向かう波による押上げ力が作用するところに、斜板を貫通する所要大きさの透過口を穿設してなる構成を有することを特徴とする斜板堤。
【請求項２】
斜板に設ける透過口の位置を、平均潮位から約３０ｃｍ下方の位置とした請求項１記載の斜板堤。
【発明の詳細な説明】
【０００１】
【発明の属する技術分野】
本発明は沖合いの海面付近に設置した斜板上で沖側から打ち寄せる波を消波し、岸側を静穏域とする消波構造物としての斜板堤に関するものである。
【０００２】
【従来の技術】
消波構造物としては、従来種々のものが提案されているが、シンプルな構造で且つ信頼性が高く、更に、海水交換性のよいものとして、図２（イ）（ロ）に示す如き斜板堤（有脚式離岸堤）がある。
【０００３】
この斜板堤は、左右方向に所要の長さ及び前後方向に所要の幅を有し且つ前端側が低くなるよう前後方向に所要角度傾斜した厚板形状の鉄筋コンクリート製の斜板１を備え、且つ該斜板１の下面に格子状に設けてある梁部１ａに、下端が海底に達する長さとしてある複数の鋼製ジャケット２の上端を固定した構成として、上記斜板１を海面付近に位置させて、鋼製ジャケット２の下端部を海底に設置し、各ジャケット内を通して鋼管製の杭を打設し、該杭とジャケット２とをジャケット２内に注入したモルタルで固定することにより、斜板１を海面付近に位置させることができるようにしてあり、沖合いの海面付近にて、前端側（下端側）を沖側に向けた上記斜板１を、沖側３から岸側（陸側）４へ向かう波（以下、岸向波という）５の方向と直交する方向に所要長さの堤を形成するよう並べて配置すると共に、潮の干満による水位の変動時も上記各斜板１の前端側が水面下に没していて後端側は水面上に出ているように設置して、沖側３から打ち寄せて斜板１上に達した岸向波５を、該斜板１上で砕波させて波浪エネルギーを逸散させることにより消波し、更に、斜板１を波が越えるときの越波による水塊と、斜板１の下側を通過する波を干渉させることによっても波エネルギーを逸散させて消波させ、これにより、岸側４を静穏域とすることができるようにしてある。
【０００４】
なお、上記鋼製ジャケット２は、沖合いの設置場所の水深に応じた長さのものを適宜使用することにより、斜板１の寸法を変えることなく、沖合いの任意の場所の海面付近に斜板１を設置することができるようにしてある。
【０００５】
【発明が解決しようとする課題】
ところが、従来、斜板堤は、通常、岸向波５による荷重が支配的に作用するとの前提に基づいて設計・施工されてきたが、既設の斜板堤についての報告によると、岸向波５よりもむしろ岸側４から沖側３に戻る波（以下、沖向波という）６による影響が大きく作用しており、図２（イ）に二点鎖線で示す如く、沖向波６が斜板１に当るときには、該斜板１に対して下方から上方へ持ち上げるように大きな衝撃力が働き、この衝撃力によりコンクリート部材に亀裂等の損傷が発生する虞があると共に、このような損傷が進行した場合には、斜板堤の寿命を著しく縮めて耐用年数が短くなるという問題が生じたり、倒壊につながる虞も生じるという問題がある。
【０００６】
これは、上記斜板１が、上述したように沖側３となる前端側が水面下に没し且つ岸側４となる後端側が水面上に出るよう傾斜配置されているために、岸側４から進行してきた沖向波６は、斜板堤に達すると斜板１の下方に入り込むことになるが、上記斜板１の前端側が水面下に没しているために、沖側３へ進行するにしたがって波エネルギーが行き場を失い、水面の上下動に伴って斜板１の下面と水面との間で空気が圧縮されたり、該圧縮空気と入れ替わりに斜板１の下面に水面が衝撃的に打ち当るようになり、このため波エネルギーが斜板堤の構造内部に瞬間的に蓄えられ、これが衝撃荷重となって構造に悪影響を及ぼすためと考えられる。
【０００７】
そこで、本発明は、沖向波による衝撃荷重を軽減させることができて、損傷の発生を抑制でき、このため耐用年数の向上を図ることができる斜板堤を提供しようとするものである。
【０００８】
【課題を解決するための手段】
本発明は、上記課題を解決するために、所要の長さ及び幅を有し且つ幅方向に所要角度傾斜した斜板にジャケットを取り付け、該斜板を、下端側が沖側に向くようにして海面付近に設置して、沖側から岸側へ向かう波を上記斜板上にて砕波させて岸側を静穏域とするようにしてある斜板堤における上記斜板の下面に岸側から沖側に向かう波による押上げ力が作用するところに、斜板を貫通する所要大きさの透過口を穿設してなる構成とする。
【０００９】
岸側から沖側に向かう波は、斜板の下方に入り込んで沖側へ向かうことになるが、この際、水面の上下動に伴って上記斜板の下面側にて空気が圧縮されるようになると、該圧縮された空気は上記斜板に設けてある透過口を通して斜板の上方へ逃がされるようになる。このため、上記斜板の下面には、圧縮されて逃がされた空気と入れ替わりに波が入り込んで来ることになるので、斜板の下面に衝撃的に打ち当ることが防止され、又、行き場を失った波の一部も上記透過口を通して斜板の上方へ逃がされるため、斜板に作用する波の衝撃荷重は軽減される。
【００１０】
又、斜板に設ける透過口の位置を、平均潮位から約３０ｃｍ下方の位置とした構成とすることにより、単数又は少数の透過口により斜板の下面側にて圧縮される空気や行き場を失った波を効率よく斜板の上方へ逃がすことができる。
【００１１】
【発明の実施の形態】
以下、本発明の実施の形態を図面を参照して説明する。
【００１２】
図１（イ）（ロ）は本発明の斜板堤の実施の一形態を示すもので、図２（イ）（ロ）に示したものと同様の構成における斜板１の梁部１ａを避けた所要個所に、該斜板１を直角方向に所要大きさの丸孔状又はスリット状の貫通孔７を穿設して、該貫通孔７を透過口とする。なお、図では上記透過口（貫通孔）７を丸孔状とした場合を示す。
【００１３】
上記透過口７は、岸側から沖側に向かう沖向波６が斜板１の下面側に衝突するときに該斜板１の下面側にて圧縮される空気及び波を斜板上方へ効率よく逃がすことができるように、平均潮位Ｔよりも約３０ｃｍ下方となる高さ位置に設けるようにする。
【００１４】
又、上記透過口７の大きさは、岸向波５の斜板１上における砕波性能に影響を及ぼす虞がないように、直径を１０〜２０ｃｍ程度とすると共に、図１（ロ）に実線で示す如く斜板１の左右方向中間部の１個所のみ、あるいは、多くとも図１（ロ）に二点鎖線で示す如く斜板１の下面に設けてある梁部１ａと干渉しない数個所のみに設けるようにしてある。更に、上記透過口７の形状は、強度的には丸孔とすることが望ましいが、スリット状や角孔状等、任意の形状を採用し得る。
【００１５】
その他の構成は図２（イ）（ロ）に示したものと同様であり、同一のものには同一符号が付してある。
【００１６】
上記本発明の斜板堤を、従来と同様にして沖合いの所要位置に設置すると、沖側３から打ち寄せる岸向波５は、従来と同様に斜板１上における砕波、及び、越波による水塊と、斜板１の下側を通過する波との干渉により波エネルギーが逸散されるため消波される。
【００１７】
一方、上記本発明の斜板堤に対して岸側４から沖向波６が打ち寄せると、該沖向波６は、上記斜板１が沖側に向けて下傾しているため、該斜板１の下方に入り込んで沖側３、すなわち、没水している斜板１の前端側へ向かうようになり、この沖向波６による水面の上下動に伴って、斜板１の下面側にて行き場を失った空気が圧縮されるようになるが、この際、上記斜板１には透過口７が設けてあるため、上記圧縮空気８は上記透過口７を通して斜板１の上方へ逃がされるようになる。このため上記斜板１の下面に入り込んでくる沖向波６の一部が圧縮された空気と入れ替わることができて、沖向波が斜板１の下面に衝撃的に打ち当る虞が防止され、又、行き場を失った波の一部も上記透過口７を通して斜板１の上方へ逃がされるため、波エネルギーが斜板堤の構造内部に瞬間的に蓄えられることが抑制される。これにより、斜板１に作用する波の衝撃荷重は軽減される。
【００１８】
このように、岸側４からの沖向波６が斜板１の下面に作用したとしても、斜板１に作用する衝撃荷重を軽減できるため、コンクリート部材に亀裂等の損傷が発生する虞を抑制できて、耐用年数の向上を図ることが可能になる。
【００１９】
更に、透過口７を通過して圧縮空気８や波の一部が斜板１の上方へ逃がされることに伴って、上記透過口７から水塊が噴出するため、該噴出する水塊により付近を航行する船舶に斜板堤を視認させることができ、乗り上げや衝突の回避に有利なものとすることができる。
【００２０】
なお、本発明は上記実施の形態のみに限定されるものではなく、干満による潮位の変化が激しくて、平均潮位Ｔの約３０ｃｍ下方の位置にのみに設けてある透過口７から水面が大幅にずれるような地域に設置する場合には、斜板１の上面側における岸向波５の砕波性能に影響を与えないようにすれば、上記平均潮位Ｔの約３０ｃｍ下方の位置に加えて、図１（イ）に一点鎖線で示す如く、斜板１の上部及び下部位置に透過口７ａを設けることも可能なこと、透過口７の形状は丸孔とすることが望ましいが、該透過口７の周縁部が、作用し得る荷重に対して十分な強度を備えるようにすれば、角孔等、形状は自在に設定してよいこと、その他本発明の要旨を逸脱しない範囲内において種々変更を加え得ることは勿論である。
【００２１】
【発明の効果】
以上述べた如く、本発明の斜板堤によれば、所要の長さ及び幅を有し且つ幅方向に所要角度傾斜した斜板にジャケットを取り付け、該斜板を、下端側が沖側に向くようにして海面付近に設置して、沖側から岸側へ向かう波を上記斜板上にて砕波させて岸側を静穏域とするようにしてある斜板堤における上記斜板の下面に岸側から沖側に向かう波による押上げ力が作用するところに、斜板を貫通する所要大きさの透過口を穿設してなる構成としてあるので、以下の如き優れた効果を発揮する。
（１）岸側から沖側に向かう波が打ち寄せたとしても、斜板に作用する衝撃荷重を軽減できるため、コンクリート部材に亀裂等の損傷が発生する虞を抑制できて、耐用年数の向上を図ることが可能になる。
（２）斜板に設ける透過口の位置を、平均潮位から約３０ｃｍ下方の位置とした構成とすることにより、単数又は少数の透過口により斜板の下面側にて圧縮される空気や行き場を失った波を効率よく斜板の上方へ逃がすことができる。
【図面の簡単な説明】
【図１】本発明の斜板堤の実施の一形態を示すもので、（イ）は切断概略側面図、（ロ）は概略平面図である。
【図２】従来の斜板堤を示すもので、（イ）は概略側面図、（ロ）は概略平面図である。
【符号の説明】
Ｔ　平均潮位
１　斜板
２　鋼製ジャケット
３　沖側
４　岸側
５　岸向波（波）
６　沖向波（波）
７，７ａ　透過口
【図１】
2004060178.tif 000003
【図２】
2004060178.tif 000004